(57)【特許請求の範囲】
【請求項１】
机における天板下方所定箇所に取付可能な軸受部と、前記軸受部を中心とする同心円周上の一部に形成される円弧状の摺接面と、該摺接面における前記軸受部の下方位置に形成される凹部とを備える基体と、
その先端部に垂直片を備え、該垂直片の後方を配線空間となし、前記軸受部に、前記垂直片が略水平状態になるまでの範囲で回動自在に設けられる配線支持板と、この配線支持板の下方所定箇所より、少なくとも先端が前記摺接面に摺接されるように延設される係合片と、該係合片の先端に前記摺接面の凹部に対して係脱可能に形成される係合凸部とを備える配線受部と、を有し、
前記係合片の係合凸部と前記摺接面の凹部との係合により、前記配線支持板が所望の位置にて支持されることにより開閉可能な配線空間が形成されるようになっていることを特徴とする机の配線ダクト装置。
【請求項２】
前記凹部が、円弧状の摺接面に連続して複数形成されている請求項１に記載の机の配線ダクト装置。
【請求項３】
前記基体所定箇所に前記摺接面を形成する摺接片の少なくとも一端部が、弾性変形可能に形成されている請求項２に記載の机の配線ダクト装置。
【請求項４】
前記配線支持板の回動先端方向裏面側に、一端が係合片の裏面所定箇所に接合される補強片の他端が設けられている請求項１ないし３のいずれかに記載の机の配線ダクト装置。
【発明の詳細な説明】
【０００１】
【発明の属する技術分野】
本発明は、机の内部所定箇所に配線が容易に行えるような開閉可能な配線ダクトを簡単な構造により実現できるようにした机の配線ダクト装置に関する。
【０００２】
【従来の技術】
従来、机において使用するコンピュータ等の配線処理が容易に、かつ見栄えよく行えるように、机における天板の下方適所に配線ダクト等を設け、その配線ダクトを着脱可能としたり、開閉可能として、ダクト内への配線、配線後におけるメンテナンス作業等を簡単に出来るようにしたものが知られている。
【０００３】
【発明が解決しようとする課題】
しかしながら、このような配線ダクト等にあっては、配線ダクトの着脱や開閉操作が煩雑であるばかりか、構造が複雑であるため、配線作業を容易に行うことが難しいといった問題があった。
【０００４】
本発明はこのような問題点に着目してなされたもので、簡単な開閉操作により配線処理を容易に、かつ見栄えよく行える配線ダクト装置を提供することを目的としている。
【０００５】
【課題を解決するための手段】
上記目的を達成するために、本発明の机の配線ダクト装置は、机における天板下方所定箇所に取付可能な軸受部と、前記軸受部を中心とする同心円周上の一部に形成される円弧状の摺接面と、該摺接面における前記軸受部の下方位置に形成される凹部とを備える基体と、その先端部に垂直片を備え、該垂直片の後方を配線空間となし、前記軸受部に、前記垂直片が略水平状態になるまでの範囲で回動自在に設けられる配線支持板と、この配線支持板の下方所定箇所より、少なくとも先端が前記摺接面に摺接されるように延設される係合片と、該係合片の先端に前記摺接面の凹部に対して係脱可能に形成される係合凸部とを備える配線受部と、を有し、前記係合片の係合凸部と前記摺接面の凹部との係合により、前記配線支持板が所望の位置にて支持されることにより開閉可能な配線空間が形成されるようになっていることを特徴としている。
この特徴によれば、基体に対して配線支持板を回動させれば、配線空間を容易に開閉出来、配線空間内に容易に配線出来るとともに、配線支持板の回動を規制すべく係合凸部と摺接面の凹部との係合が、係合片を介して少なくとも軸受部の下方位置において行われるようになっているので、配線支持板を所望の位置にて確実に支持出来るとともに、配線量に応じて配線支持部をさらに回動させるだけで、配線空間を再度開放することが出来る。また、配線支持板上に構成される配線空間内が垂直片により外部から見えないように覆われているので見栄えもよく、しかも配線支持板が最大限に開放されても、垂直片が配線支持板の下方において略水平に位置するようになっているため、配線空間内に既に存在するコード類等の落下を防止でき配線作業が容易に出来る。
【０００６】
本発明の机の配線ダクト装置は、前記凹部が、円弧状の摺接面に連続して複数形成されていることが好ましい。
このようにすることで、配線支持板が不用意に全開放することがないので、配線時において既に配線空間内に収納されていたコード類が開放とともに落下させる恐れがない。
【０００７】
本発明の机の配線ダクト装置は、前記基体所定箇所に前記摺接面を形成する摺接片の少なくとも一端部が、弾性変形可能に形成されていることが好ましい。
このようにすることで、摺接片が係合凸部と凹部との係合時に弾性変形し、係脱が確実に行われるとともに、係合片にかかる負荷を分散出来る。
【０００８】
本発明の机の配線ダクト装置は、前記配線支持板の回動先端方向裏面側に、一端が係合片の裏面所定箇所に接合される補強片の他端が設けられていることが好ましい。
このようにすることで、配線空間内のコード類等の負荷を受ける配線受部の強度が向上するとともに、係合片の弾性変形を規制し、係合凸部と凹部との係合力が向上する。
【０００９】
【発明の実施の形態】
以下、本発明の実施例を図面に基づいて説明すると、まず図１には本発明の適用される机１の後方斜視図が示されており、図中２は天板、３は天板２の左右側を支持する側板、４は天板２の下方左右側板３、３間を前後に仕切る仕切り板をそれぞれ示している。仕切り板４の後面上部には、天板２上に載置されるコンピュータ５や電話（図示略）等のコード類Ｋを収納出来る配線ダクト装置６が取り付けられている。
【００１０】
配線ダクト装置６は、主に仕切り板４にビス７を介して取付可能な取付板８と、取付板８の下端から前方に突出される支持片９と、支持片９の前端に形成される軸受部１０と、この軸受部１０の下端より延設され、軸受部１０の裏面側に軸受部１０の同心円の円弧状に形成される摺接片１１とを備える基体１２と、軸受部１０に軸部１３を介して回動自在に取り付けられる配線支持部（以下、実施例では配線支持板を使用する）１４と、一端が配線支持板の裏面に固着され、軸受部１０の同心円の円弧状に形成される係合片１５とを備える配線受部１６とから構成される。なお、これら基体１２と配線受部１６は合成樹脂により形成されている。
【００１１】
前記摺接片１１は、軸受部１０の下方位置から軸受部１０の裏面側に向かって円弧状に形成され、その外周の係合片１５との摺接面１１ａの下部及び先端部には、突部１７、１７’がそれぞれ形成されており、これら突部１７、１７間には複数の凹部１８が所定間隔おきに形成されている。
【００１２】
配線支持板の先端には垂直片１４ａが形成されており、配線支持板が図２中実線で示される水平位置にあるときに、配線支持板上に構成される配線空間Ｓ内が外部から見えないように覆われるようになっている。
【００１３】
係合片１５の先端部には、摺接片１１の凹部１８に係合可能な凸部１９が形成されており、この凸部１９を介して摺接面１１ａに対して摺接するようになっている。また、係合片１５の裏面下端部には、一端が配線支持板１４の屈曲部１４ｂ裏面所定箇所に接合する補強片２０の他端が接合されている。
【００１４】
係合片１５の凸部１９は、配線支持板が水平位置にあるときに、摺接面１１ａの最下部、すなわち摺接片１１の基部側の凹部１８に係合され、最大解放時において、摺接面１１ａの最上部、すなわち摺接片１１の先端側の凹部１８に係合されるようになっている。また、この配線支持板の回動角度は、突部１７、１７’と係合片１５の凸部１９との当接により規制されるようになっている。
【００１５】
このように構成された配線ダクト装置６の作用を図２〜図５を用いて説明すると、図２、図３に示されるように、配線支持板を水平位置にすると、配線支持板の下面より下方に延出される係合片１５の凸部１９が摺接面１１ａの最下部の凹部１８に係合されるので、配線支持板の下方が係合片１５を介して支持される。
【００１６】
よってこの配線支持板、垂直片１４ａ、基体１２の支持片９、取付板８とにより、上方が開口する断面略コ字状の配線空間Ｓが形成され、図５に示されるように、配線支持板上にコード類Ｋを配線したり、電源タップ等を載置することが出来ようになっている。
【００１７】
ここで、この凸部１９と凹部１８との係合が、配線支持板の回動軸心より下方位置にて行われるようにすることで、凸部１９と凹部１８との係合状態を変えることなく、配線支持板の支持強度を向上させることが出来る。
【００１８】
また、配線支持板上面にコード類Ｋが配線されたり電源タップ等が載置されて、図３に示されるように配線支持板上面に上方から負荷が加わると、特に補強片２０との接合点Ｐから先端の凸部１９までの間の係合片１５ａが、中２点鎖線で示されるように外方に湾曲して負荷が吸収されるとともに、係合片１５ａの曲率が大きくなる。これにより凸部１９の凹部１８への押圧力が大となり、凸部１９と凹部１８との係合力が向上されるので、配線支持板の支持力が高まる。
【００１９】
次に図２中２点鎖線で示されるように、配線空間Ｓ内を開放する場合、配線受部６の配線支持板の先端を軸部１３を中心に下方に回動させる。ここで係合片１５の凸部１９と最下部の凹部１８との係合が逸脱されるとともに、配線支持板の回動に伴い凸部１９は摺接面１１ａ上を摺動し、かつ他の凹部１８との係脱を繰り返しながら上方に移動していく。
【００２０】
このように凹部１８が摺接面１１ａに沿うように複数形成されていることにより、配線支持板が急速に最大開放されて、既に収納されている空間部Ｓ内の配線が不用意に落下してしまうことがないばかりか、配線量等に応じて必要な分だけ開放して配線を行うことが出来る。
【００２１】
そして凸部１９が最上部の凹部１８に係合された時点で凸部１９の移動が突部１７’により規制され、配線支持板のそれ以上の開放が規制されるようになっている（図４参照）。ここで特に図５に示されるように、配線支持板が開放されると、垂直片１４ａが配線支持板の下方において略水平に位置するようになっているため、配線空間Ｓ内に既にコード類Ｋ等の落下を防止できる。逆に配線空間Ｓ内にコード類Ｋを収納したい場合、図５のように垂直片１４ａ上にコード類Ｋを配線した状態で配線支持板を上方に回動させて閉塞すればよいので、配線作業が容易に出来る。
【００２２】
また、図４に示されるように、配線支持板を開放位置から上方に回動させようとする場合、特に補強片２０との接合点Ｐから先端の凸部１９までの間の係合片１５ａが、引っ張り力により図中２点鎖線で示されるように内方に伸長され、係合片１５ａの曲率が小さくなるとともに、摺接片１１は樹脂成形されているとともに、この先端が他の部材等から離間して設けられているため、凸部１９と凹部１８との係脱時に弾性変形が生じる。これにより凸部１９の凹部１８への押圧力が小となり、凸部１９と凹部１８との係合力が低下して、係脱し易くなる。
【００２３】
よって配線支持板の開放後に配線支持板を閉塞する場合、下方に摺動する凸部１９と各凹部１８との係脱、特に摺接片１１の先端部における係脱が比較的スムーズに行われるため、配線支持板を小さな力でスムーズに閉塞することが出来る。
【００２４】
そして凸部１９の摺動移動が突部１７との当接により規制された時点で、配線支持板が略水平の配線空間Ｓの閉塞位置にて支持されるようになっている。
【００２５】
このように配線支持板は、配線空間Ｓの閉塞時において、凸部１９と凹部１８との比較的強い係合力により確実に支持されるため、不用意に開放するようなことがなく、また、開放状態からはスムーズに閉塞することが出来る。
【００２６】
以上、本発明の実施例を図面により説明してきたが、具体的な構成はこれら実施例に限られるものではなく、本発明の要旨を逸脱しない範囲における変更や追加があっても本発明に含まれる。
【００２７】
例えば、本実施例における係合片及び摺接片等の曲率等は任意であり、種々に変形可能であり、これらの形状等を変形させることで係合部の位置等をかえて、配線支持板の支持力の調整等をすることが出来る。
【００２８】
また、凹部１８は、少なくとも配線支持板を閉塞位置にて停止させることが出来る位置にのみ形成されていればよい。
【００２９】
【発明の効果】
本発明は次の効果を奏する。
【００３０】
（ａ）請求項１の発明によれば、基体に対して配線支持板を回動させれば、配線空間を容易に開閉出来、配線空間内に容易に配線出来るとともに、配線支持板の回動を規制すべく係合凸部と摺接面の凹部との係合が、係合片を介して少なくとも軸受部の下方位置において行われるようになっているので、配線支持板を所望の位置にて確実に支持出来るとともに、配線量に応じて配線支持部をさらに回動させるだけで、配線空間を再度開放することが出来る。また、配線支持板上に構成される配線空間内が垂直片により外部から見えないように覆われているので見栄えもよく、しかも配線支持板が最大限に開放されても、垂直片が配線支持板の下方において略水平に位置するようになっているため、配線空間内に既に存在するコード類等の落下を防止でき配線作業が容易に出来る。
【００３１】
（ｂ）請求項２の発明によれば、配線支持板が不用意に全開放することがないので、配線時において既に配線空間内に収納されていたコード類が開放とともに落下させる恐れがない。
【００３２】
（ｃ）請求項３の発明によれば、摺接片が係合凸部と凹部との係合時に弾性変形し、係脱が確実に行われるとともに、係合片にかかる負荷を分散出来る。
【００３３】
（ｄ）請求項４の発明によれば、配線空間内のコード類等の負荷を受ける配線受部の強度が向上するとともに、係合片の弾性変形を規制し、係合凸部と凹部との係合力が向上する。
【００３４】
【図面の簡単な説明】
【図１】本発明の適用される机の設置状況を示す後方斜視図である。
【図２】図１のＡ−Ａ断面図である。
【図３】配線ダクト装置の開放時における作用を示す要部断面図である。
【図４】配線ダクト装置の閉塞時における作用を示す要部断面図である。
【図５】配線ダクト装置の閉塞操作を示す要部斜視図である。
【符号の説明】
１            机
２            天板
３            側板
４            仕切り板
５            コンピュータ
６            配線ダクト装置
７            ビス
８            取付板
９            支持片
１０            軸受部
１１            摺接片
１１ａ          摺接面
１２            基体
１３            軸部
１４            配線支持板（配線支持部）
１４ａ          垂直片
１４ｂ          屈曲部
１５、１５ａ    係合片
１６            配線受部
１７、１７’    突部
１８            凹部
１９            凸部（係合凸部）
２０            補強片
【図１】
0004027480.tif 000002
【図２】
0004027480.tif 000003
【図３】
0004027480.tif 000004
【図４】
0004027480.tif 000005
【図５】
0004027480.tif 000006